(57)【要約】      （修正有）【課題】断熱部材が設けられた造営物に埋め込み設置されても、発光ダイオードの放熱を効果的に行えるとともに、軽量化が可能なＬＥＤ照明器具を提供する。【解決手段】ＬＥＤ照明器具１は、発光ダイオード９を有する発光体３と、発光ダイオード９を点灯する電源装置４と、底板部１５の下面１５ｂに発光体３を配設している装置本体５と、装置本体５の側壁部１６を収容する筒状の筒体部１８、天板部１９および底板部１５と所定の隙間Ｄ１を有するフランジ部２０を有する筐体６と、側壁部１６をその周回方向で包囲する筒状の包囲体部２７、底板部１５およびフランジ部２０の間に設けられた鍔部２８並びに包囲体部２７と側壁部１６との間および包囲体部２７と筒体部１８との間が通気するように包囲体部２７の上端２７ｂ側に設けられた通気手段３２を有する中間体７とを具備している。【選択図】図１
2011090846.tif 000002
【特許請求の範囲】
【請求項１】
基板およびこの基板に実装された発光ダイオードを有する発光体と；
前記発光ダイオードを点灯する電源装置と；
底板部およびこの底板部の上面に起立して設けられ上端が開放された筒状の側壁部を有し、前記底板部の下面に前記発光体を配設している装置本体と；
この装置本体の側壁部を収容する筒状の筒体部およびこの筒体部の上端側開口を閉塞する天板部を有し、前記筒体部の下端が前記装置本体の底板部と所定の隙間を有するように前記装置本体を固定している筐体と；
前記装置本体の側壁部および前記筐体の筒体部の間に介在し前記側壁部をその周回方向で包囲する筒状の包囲体部、この包囲体部の下端にその周回に亘って前記装置本体の底板部および前記筒体部の下端の間であって前記底板部に対向しかつ前記筒体部よりも外方に突出するように設けられた鍔部並びに前記包囲体部と前記側壁部との間および前記包囲体部と前記筒体部との間が通気するように前記包囲体部の上端側に設けられた通気手段を有し、前記装置本体および前記筐体の少なくとも一方に取り付けられた中間体と；
を具備していることを特徴とするＬＥＤ照明器具。
【請求項２】
前記筐体は、前記筒体部の下端にその周回に亘って外方に突出するように設けられ前記装置本体の底板部と対向するフランジ部を有していることを特徴とする請求項１記載のＬＥＤ照明器具。
【請求項３】
前記装置本体の側壁部は、その外面側に、その起立方向に沿う放熱フィンが設けられていることを特徴とする請求項１または２記載のＬＥＤ照明器具。
【請求項４】
前記装置本体の底面部の下面に前記発光体を密閉するように配設された透光性のカバー体と；
を具備し、
前記装置本体は、高熱伝導率を有する金属により形成され、前記筐体は、前記装置本体よりも低い熱伝導率を有する金属により形成され、前記中間体は、前記装置本体よりも低い熱伝導率であって前記筐体よりも高い熱伝導率を有する金属または前記筐体の金属により形成されていることを特徴とする請求項１ないし３いずれか一記載のＬＥＤ照明器具。
【発明の詳細な説明】
【技術分野】
【０００１】
本発明は、光源として発光ダイオード（ＬＥＤ）を備え、例えば天井等の造営物に埋め込み設置されるダウンライト等のＬＥＤ照明器具に関する。
【背景技術】
【０００２】
発光ダイオードは、低消費電力や長寿命等の利点を有するので、各種照明器具の光源として使用されている。しかし、発光ダイオードは、点灯により発熱するので、当該照明器具は、発光ダイオードの発熱に見合った放熱特性が必要である。例えば、ダウンライト等は、発光ダイオードの発熱を金属製であって外面に放熱フィンを有する装置本体に伝熱させて放熱させている。そして、装置本体の平面形状の大形化を伴うことなく放熱性能を向上できる照明装置が提案されている（特許文献１参照。）。
【０００３】
この従来技術の照明装置は、例えばダウンライトであり、発光ダイオードを実装している光源基板が装置本体の底壁下面に直接に密に面接触し、発光ダイオードが発した熱を光源基板から直接に装置本体に伝えることができる。また、金属からなる装置本体の環状側壁の一部に平らな側壁部を形成して、その外面に複数の放熱フィンを突設し、放熱フィンの長さを長く確保している。これにより、装置本体の放熱面積を複数の放熱フィンで増加できるに伴い、装置本体の平面形状の大形化を伴うことなく、放熱性能を向上できるというものである。
【先行技術文献】
【特許文献】
【０００４】
【特許文献１】特開２００９−６４６３６号公報（第１１頁、第３図）
【発明の概要】
【発明が解決しようとする課題】
【０００５】
ダウンライト等を埋め込み設置する天井等の造営物に例えば断熱部材が設けられていると、装置本体および放熱フィンからの放熱により造営物の内部温度が上昇するので、装置本体の放熱面積が増加されても、発光ダイオードの放熱が効果的に行えないという問題がある。
【０００６】
また、金属からなる装置本体は、その内部に電源装置や光源基板が配設される空間（収納部）が形成されており、さらに外面に設けられた放熱フィンにより容積が大きくなるので、照明装置を軽量化しにくいという欠点を有する。
【０００７】
本発明は、断熱部材が設けられた造営物に埋め込み設置されても、発光ダイオードの放熱を効果的に行えるとともに、軽量化が可能なＬＥＤ照明器具を提供することを目的とする。
【課題を解決するための手段】
【０００８】
請求項１に記載のＬＥＤ照明器具の発明は、基板およびこの基板に実装された発光ダイオードを有する発光体と；前記発光ダイオードを点灯する電源装置と；底板部およびこの底板部の上面に起立して設けられ上端が開放された筒状の側壁部を有し、前記底板部の下面に前記発光体を配設している装置本体と；この装置本体の側壁部を収容する筒状の筒体部およびこの筒体部の上端側開口を閉塞する天板部を有し、前記筒体部の下端が前記装置本体の底板部と所定の隙間を有するように前記装置本体を固定している筐体と；前記装置本体の側壁部および前記筐体の筒体部の間に介在し前記側壁部をその周回方向で包囲する筒状の包囲体部、この包囲体部の下端にその周回に亘って前記装置本体の底板部および前記筒体部の下端の間であって前記底板部に対向しかつ前記筒体部よりも外方に突出するように設けられた鍔部並びに前記包囲体部と前記側壁部との間および前記包囲体部と前記筒体部との間が通気するように前記包囲体部の上端側に設けられた通気手段を有し、前記装置本体および前記筐体の少なくとも一方に取り付けられた中間体と；を具備していることを特徴とする。
【０００９】
本発明および以下の各発明において、特に言及しない限り、各構成は以下による。
【００１０】
「上面」および「下面」とは、ＬＥＤ照明器具の照射方向を例えば地上面に対する鉛直方向としたときの上側および下側を意味する。「上端」および「下端」についても同様である。
【００１１】
「筒状」は、円筒状、多角筒状のいずれであってもよい。また、中間体の包囲体部は、その下端側から上端側に次第に縮径する筒状例えば円錐状を許容する。
【００１２】
装置本体は、その底面部が埋め込み孔の周りの造営物に当接可能に形成されている。したがって、本発明のＬＥＤ照明器具は、断熱部材が設けられていない造営物に埋め込み設置されると、特に効果的である。
【００１３】
装置本体は、筐体に直接的に取り付けられていてもよく、中間体を介して筐体に取り付けられていてもよい。
【００１４】
筐体の筒体部の下端には、その周回に亘ってその外方に突出するフランジ部が設けられていてもよい。
【００１５】
筐体は、例えば筒体部の外面側に一対の取付けばねを取り付けて、この一対の取付けばねと装置本体の底面部とにより造営物を挟持して造営物に固定されてもよく、装置本体の底面部を造営物にねじ止めして造営物に固定されてもよく、埋め込み孔の周縁に塗布された接着材により装置本体の底面部を造営物に固着して造営物に固定されてもよい。
【００１６】
装置本体の底板部および中間体の鍔部の間は、外気の流入口となるものであり、装置本体の側壁部および中間体の包囲体部の間の空間に連通している。また、中間体の鍔部および筐体の筒体部の下端の間は、内気の流出口となるものであり、中間体の包囲体部および筐体の筒体部の間の空間に連通している。
【００１７】
通気手段は、例えば、中間体の包囲体部が筐体の天板部側まで延在しているときの包囲体部の上端側に形成された孔であり、中間体の包囲体部が筐体の天板部側まで延在していないときの包囲体部の上端と天板部との間に存在する開口である。
【００１８】
本発明によれば、装置本体の底板部および中間体の鍔部の間、装置本体の側壁部および中間体の包囲体部の間、通気手段、中間体の包囲体部および筐体の筒体部の間並びに中間体の鍔部および筐体の筒体部の下端の間で外気の通気経路が形成される。発光ダイオードの発熱は、装置本体に伝熱され、装置本体から前記通気経路に自然通気する外気に熱伝達されて放熱される。
【００１９】
すなわち、発光ダイオードに発生した熱は、基板から装置本体の底板部に伝熱され、底板部から側壁部に伝熱されて、装置本体および中間体の間の空間に放出される。この空間の空気は、熱せられて温度上昇して熱膨張し、中間体の包囲体部の下端側から上端側に移動していき、前記空間には、装置本体の底面部および中間体の鍔部の間から外気が流入する。この流入する外気は、上記のように、熱せられて包囲体部の上端側に移動していく。
【００２０】
包囲体部の上端側の空気は、継続的に移動してくる上記空気により押圧され、通気手段から中間体の包囲体部および筐体の筒体部の間の空間に移動していき、さらに中間体の鍔部および筐体の筒体部の下端の間から外部に流出していく。このとき、空気の一部の熱は、筒体部に伝熱されて、筒体部の外面から外方に放出される。
【００２１】
また、発光ダイオードの発熱および装置本体に伝熱された熱は、直接的に外気に放熱される。
【００２２】
請求項２に記載のＬＥＤ照明器具の発明は、請求項１記載のＬＥＤ照明器具の発明において、前記筐体は、前記筒体部の下端にその周回に亘って外方に突出するように設けられ前記装置本体の底板部と対向するフランジ部を有していることを特徴とする。
【００２３】
筐体は、その円筒部が天井等の造営物に設けられた埋め込み孔に挿入され、そのフランジ部が埋め込み孔の周りの造営物に当接するように形成されている。したがって、装置本体の底面部および中間体の鍔部は、造営物の外側に位置している。
【００２４】
筐体は、例えば筒体部の外面側に一対の取付けばねを取り付けて、この一対の取付けばねとフランジ部とにより造営物を挟持して造営物に固定されてもよく、フランジ部を造営物にねじ止めして造営物に固定されてもよく、埋め込み孔の周縁に塗布された接着材により造営物に固定されてもよい。
【００２５】
装置本体の底板部および中間体の鍔部の間は、外気の流入口となるものであり、装置本体の側壁部および中間体の包囲体部の間の空間に連通している。また、中間体の鍔部および筐体のフランジ部の間は、内気の流出口となるものであり、中間体の包囲体部および筐体の筒体部の間の空間に連通している。
【００２６】
本発明によれば、装置本体の底板部および中間体の鍔部の間、装置本体の側壁部および中間体の包囲体部の間、通気手段、中間体の包囲体部および筐体の筒体部の間、および、中間体の鍔部および筐体のフランジ部の間で外気の通気経路が形成される。発光ダイオードの発熱は、装置本体に伝熱され、装置本体から前記通気経路に自然通気する外気に放熱される。また、発光ダイオードの発熱および装置本体に伝熱された熱は、直接的に外気に放熱される。
【００２７】
請求項３に記載のＬＥＤ照明器具の発明は、請求項１または２記載のＬＥＤ照明器具の発明において、前記装置本体の側壁部は、その外面側に、その起立方向に沿う放熱フィンが設けられていることを特徴とする。
【００２８】
本発明によれば、装置本体および中間体の間に通気する外気は、装置本体の底面部側から側壁部の上端側に自然通気するので、放熱フィンが側壁部の起立方向に沿って設けられていることにより、前記外気が側壁部の外面に沿って連続的に自然通気し、側壁部から外気に熱伝達されやすくなるとともに、側壁部の放熱面積が大きくなる。
【００２９】
請求項４に記載のＬＥＤ照明器具の発明は、請求項１ないし３いずれか一記載のＬＥＤ照明器具の発明において、前記装置本体の底面部の下面に前記発光体を密閉するように配設された透光性のカバー体と；を具備し、前記装置本体は、高熱伝導率を有する金属により形成され、前記筐体は、前記装置本体よりも低い熱伝導率を有する金属により形成され、前記中間体は、前記装置本体よりも低い熱伝導率であって前記筐体よりも高い熱伝導率を有する金属または前記筐体の金属により形成されていることを特徴とする。
【００３０】
装置本体に使用される高熱伝導率を有する金属としては、例えば銅（Ｃｕ）（熱伝導率：４０３Ｗ／ｍ・Ｋ）やアルミニウム（Ａｌ）（熱伝導率：２３６Ｗ／ｍ・Ｋ）が挙げられる。また、中間体に使用される金属としては、例えば真鍮（熱伝導率：１１９Ｗ／ｍ・Ｋ）や鉄（Ｆｅ）（熱伝導率：８３Ｗ／ｍ・Ｋ）が挙げられる。また、筐体に使用される金属としては、例えばステンレス（ＳＵＳ）（熱伝導率：１５Ｗ／ｍ・Ｋ）が挙げられる。
【００３１】
本発明によれば、発光ダイオードに発生した熱は、高熱伝導率を有する装置本体に迅速に伝熱されて、装置本体から装置本体および中間体の間に通気する外気に放出される。当該外気は、熱せられて温度上昇して、前記通気経路に沿って通気して筐体の外部に流出する。中間体の熱伝導率は、装置本体の熱伝導率よりも低く、筐体の熱伝導率は、中間体の熱伝導率以下であるので、中間体および筐体は、前記通気経路に沿って通気する外気へ放熱しにくく、外気は、温度上昇した状態で通気し、温度が高い分、速く通気する。したがって、装置本体から通気経路に通気する外気に放熱される単位時間当たりの熱量が多くなり、これにより、発光ダイオードの温度が過度に上昇することが抑制される。
【発明の効果】
【００３２】
請求項１の発明によれば、発光ダイオードに発生した熱は、装置本体の底板部および中間体の鍔部の間、装置本体の側壁部および中間体の包囲体部の間、通気手段、中間体の包囲体部および筐体の筒体部の間並びに中間体の鍔部および筐体の筒体部の下端の間の通気経路に通気する外気に放熱されるので、断熱部材が設けられていない造営物に埋め込み設置されたときに、発光ダイオードの放熱を継続して効果的に行うことができて、放熱特性を向上させることができるとともに、装置本体の側壁部、筐体の筒体部および中間体の包囲体部がそれぞれ筒状に形成されているので、それぞれの使用容積が少なく、軽量化および省資源化を図ることのできるＬＥＤ照明器具を提供することができる。
【００３３】
請求項２の発明によれば、発光ダイオードに発生した熱は、装置本体の底板部および中間体の鍔部の間、装置本体の側壁部および中間体の包囲体部の間、通気手段、中間体の包囲体部および筐体の筒体部の間並びに中間体の鍔部および筐体のフランジ部の間の通気経路に通気する外気に放熱され、造営物の外側に放出されるので、断熱部材が設けられた造営物に埋め込み設置されても、発光ダイオードの放熱を継続して効果的に行うことができて、放熱特性を向上させることができるとともに、装置本体の側壁部、筐体の筒体部および中間体の包囲体部がそれぞれ筒状に形成されているので、それぞれの使用容積が少なく、軽量化および省資源化を図ることのできるＬＥＤ照明器具を提供することができる。
【００３４】
請求項３の発明によれば、装置本体の側壁部に側壁部の起立方向に沿う放熱フィンが設けられていることにより、側壁部の放熱面積が増加するとともに、通気する外気へ放熱される単位時間当たりの熱量が増加するので、発光ダイオードの過度な温度上昇を抑制することができる。
【００３５】
請求項４の発明によれば、装置本体は、高熱伝導率を有する金属で形成され、中間体は、装置本体の熱伝導率よりも低い金属で形成され、筐体は、中間体の熱伝導率以下の金属で形成されることにより、発光ダイオードに発生した熱が迅速に筐体の外部に放出されるので、発光ダイオードがカバー体により密閉されていて、発光ダイオードに発生した熱がカバー体側から放熱されにくくても、発光ダイオードの過度な温度上昇を抑制することができ、発光ダイオードを長寿命化することができて、品質の向上したＬＥＤ照明器具を提供することができる。
【図面の簡単な説明】
【００３６】
【図１】本発明の実施例１を示すＬＥＤ照明器具の概略断面図。
【図２】同じく、ＬＥＤ照明器具の概略下面図。
【図３】本発明の実施例２を示すＬＥＤ照明器具の概略断面図。
【図４】本発明の実施例３を示すＬＥＤ照明器具の概略断面図。
【図５】本発明の実施例４を示すＬＥＤ照明器具の概略断面図。
【図６】本発明の実施例５を示すＬＥＤ照明器具の概略断面図。
【図７】同じく、ＬＥＤ照明器具の概略下面図。
【発明を実施するための形態】
【００３７】
以下、本発明の一実施の形態について、図面を参照して説明する。
【００３８】
本発明において、装置本体は、底面部およびこの底面部の上面に起立して設けられた筒状の側壁部を有してなり、発光ダイオードを底面部の下面に配設している。そして、側壁部を固定するとともに側壁部を収容する筐体と、この筐体と装置本体との間に介在させた中間体とを備え、外気を装置本体および中間体の間に流入させ、中間体および筐体の間から外部に流出させる通気経路を形成している。装置本体は、発光ダイオード側から伝熱された熱を放出する。この放出された熱を前記通気経路に沿って自然通気する外気に熱伝達させて、発光ダイオードの過度な温度上昇を抑制するものである。
【実施例１】
【００３９】
図１および図２は、本発明の実施例１を示し、図１はＬＥＤ照明器具の概略断面図、図２はＬＥＤ照明器具の概略下面図である。
【００４０】
図１において、ＬＥＤ照明器具１は、天井２に埋め込み設置されるダウンライトであり、発光体３、電源装置４、装置本体５、筐体６および中間体７を有して構成されている。
【００４１】
発光体３は、基板８、この基板８の表面側に実装された発光ダイオード（ＬＥＤ）９、図示しない光拡散性粒子および蛍光体粒子を混合している透光性樹脂１０および絶縁性を有する被覆体１１を有して形成されている。
【００４２】
基板８は、図２に示すように、例えば、略正四角形に形成された厚さ１ｍｍのアルミニウム（Ａｌ）板からなり、その表面８ａに図示しない絶縁層が形成されている。絶縁層は、高熱伝導性を有する例えばエポキシ材および無機フィラー材からなり、例えば厚さ８０μｍに形成されている。基板８は、その背面が装置本体５に図示しない接着材により固着されている。
【００４３】
発光ダイオード９は、ＬＥＤベアチップからなり、その複数個が基板８の中央部の表面８ａ側に格子状に実装されている。複数個の発光ダイオード９は、絶縁層上に形成された図示しない銅箔パターン等により直並列接続されている。そして、発光ダイオード９は、通電により、青色光を放射するように形成されている。
【００４４】
透光性樹脂１０は、例えば透光性のシリコーン樹脂であり、発光ダイオード９を覆うように塗布され、その表面１０ａが平坦状に形成されている。そして、透光性樹脂１０の内部には、酸化チタン（ＴｉＯ2）などの光拡散性粒子および青色光を黄色光に波長変換するＹＡＧ系蛍光体粒子が混合されている。蛍光体粒子は、発光ダイオード９から放射された青色光の一部を黄色光に波長変換する。光拡散性粒子は、青色光および黄色光を反射、拡散させる。そして、透光性樹脂１０の表面１０ａから出射される青色光および黄色光が混合（混色）することにより、白色光が得られる。すなわち、発光体３から白色光が放射される。
【００４５】
被覆体１１は、例えば絶縁性のシリコーン樹脂からなり、透光性樹脂１０の周囲に基板８の表面８ａ側を覆うようにして塗布されている。そして、その表面１１ａは、透光性樹脂１０の表面１０ａと略同一面となるように平坦状に形成されている。
【００４６】
図１において、電源装置４は、回路基板１２およびこの回路基板１２に実装された図示しない回路部品を有して形成されている。回路基板１２は、電源線１３により図示しない商用交流電源に接続され、リード線１４により発光体３の基板８に接続されている。電源装置４は、商用交流電源を直流電源に変換し、発光ダイオード９に所定の電流を供給して、発光ダイオード９を点灯するように形成されている。
【００４７】
装置本体５は、高熱伝導率を有する例えば銅（Ｃｕ）からなり、平坦状に形成された底板部１５およびこの底板部１５に一体化され円筒状に形成された側壁部１６を有している。底板部１５は、所定の厚さ例えば１．６ｍｍを有する円盤形に形成されている。側壁部１６は、底板部１５の上面１５ａの中央部に起立して設けられ、その上端１６ａが開放（開口）している。
【００４８】
そして、底板部１５の下面１５ｂに発光体３が配設されている。すなわち、発光体１５の基板８が底板部１５の下面１５ｂに接着材により貼付されている。また、側壁部１６の内側に上端１６ａから電源装置４が挿入されていて、電源装置４は、側壁部１６の内側に設けた図示しない支持金具により支持されている。側壁部１６の内側の底板部１５には、孔１７が設けられており、この孔１７から電源装置４のリード線１４が基板８に接続されている。また、電源装置４の電源線１３は、側壁部１６の上端１６ａの開口から外部に導出されている。
【００４９】
筐体６は、筒体部１８、天板部１９およびフランジ部２０を有し、これらが例えば厚さ１．２ｍｍのステンレス（ＳＵＳ）により一体に形成されている。筒体部１８は、例えば円筒状に形成され、天井２に設けられた埋め込み孔２１に挿入可能な大きさに形成されている。
【００５０】
天板部１９は、筒体部１８の上端側開口２２を閉塞し、その内面に装置本体５を固定している。すなわち、複数のねじ２３が天板部１９の外側から側壁部１６の上端１６ａの端面にねじ込まれている。これにより、装置本体５の側壁部１６は、筒体部１８に収容されている。また、天板部１９には、孔２４が形成されており、この孔２４に絶縁ブッシング２５が嵌め込まれている。電源装置４の電源線１３は、絶縁ブッシング２５を挿通して外部に導出されている。
【００５１】
フランジ部２０は、筒体部１８の下端にその周回に亘って外方に直角に突出するように設けられたものであり、筒体部１８が天井２の埋め込み孔２１に挿入されたときに天井２に当接するとともに、装置本体５の底板部１５に対向している。そして、フランジ部２０は、その外形が底板部１５とほぼ同等の円形に形成され、底板部１５と所定の隙間Ｄ１例えば５〜２０ｍｍを有している。すなわち、前記所定の隙間Ｄ１となるように、装置本体５の側壁部１６の起立した全長（起立長）が設定されている。
【００５２】
そして、筒体部１８の外面１８ａには、周知の構造を有する一対の取付けばね２６，２６が取り付けられている。筐体６は、一対の取付けばね２６，２６とフランジ部２０とで天井２を挟持することにより、天井２の埋め込み孔２１に固定されている。
【００５３】
中間体７は、例えば厚さ１．２ｍｍの鉄板により形成され、包囲体部２７、鍔部２８および上板部２９を有する逆鉢形に形成されている。包囲体部２７は、下端２７ａから上端２７ｂに向かうにつれ漸次縮径する筒状（円錐状）に形成されており、装置本体５の側壁部１６および筐体６の筒体部１８の間に介在して、側壁部１６をその周回方向で包囲するように設けられている。
【００５４】
鍔部２８は、装置本体５の底面部１５および筐体６のフランジ部２０の所定の隙間Ｄ１の中間に介在するように、包囲体部２７の下端２７ａにその周回に亘って外方に直角に突出するように設けられている。そして、鍔部２８の外形は、装置本体５の底面部１５（筐体６のフランジ部２０）とほぼ同等の大きさに形成されている。なお、鍔部２８は、装置本体５の底面部１５よりも外方に突出させてもよい。
【００５５】
上面部２９は、その中央部に孔３０が形成されており、この孔３０に装置本体５の側壁部１６の上端１６ａが挿入され、かつ筐体６の天板部１９の内面に当接した状態で、複数のねじ３１により天板部１９に固定されている。すなわち、中間体７は、天板部１９に吊り下げられるようにして、筐体６に取り付けられている。
【００５６】
そして、包囲体部２７の上端２７ｂ側には、その周回方向に亘って通気手段としての複数の孔３２が形成されている。孔３２は、包囲体部２７と装置本体５の側壁部１６との間および包囲体部２７と筐体６の筒体部１８との間を通気させるものである。
【００５７】
なお、電源装置４は、装置本体５の側壁部１６の内部に配設しているが、これに限らず、例えば筐体６の天板部１９の外面側などに設けてもよい。
【００５８】
次に、本発明の実施例１の作用について説明する。
【００５９】
ＬＥＤ照明器具１は、装置本体５の底板部１５および中間体７の鍔部２８の間、装置本体５の側壁部１６および中間体７の包囲体部２７の間、包囲体部２７の上端２７ｂ側に形成された通気手段としての孔３２、中間体７の包囲体部２７および筐体６の筒体部１８の間並びに中間体７の鍔部２８および筐体６のフランジ部２０の間で外気の通気経路が形成されている。
【００６０】
電源装置４は、商用交流電源が供給されると、発光体３の発光ダイオード９に所定の電流を供給する。発光ダイオード９は、点灯し、発光体３から白色光が床面側に出射される。そして、発光ダイオード９は、点灯に伴って発熱する。
【００６１】
発光ダイオード９に発生した熱は、その一部が発光体３から直接的に外気に放出されるとともに、その残部が基板８から高熱伝導率を有する装置本体５の底板部１５に伝熱され、さらに底板部１５から側壁部１６に伝熱されて、装置本体５および中間体７の間の空気に放出される。当該空気は、装置本体５から放出された熱により熱せられて温度上昇するとともに熱膨張する。空気は、対流により、中間体７の包囲体部２７の下端２７ａ側から上端２７ｂ側に移動していく。
【００６２】
装置本体５および中間体７の間には、装置本体５の底面部１５および中間体７の鍔部２８の間から外気（空気）が自然に流入するようになる。この流入する外気は、装置本体５から放出された熱により熱せられて温度上昇し熱膨張して、包囲体部２７の上端２７ｂ側に上昇していく。
【００６３】
そして、包囲体部２７の上端２７ｂ側の空気は、継続的に上昇してくる上記外気により押圧され、包囲体部２７の上端２７ｂ側の孔３２から包囲体部２７および筐体６の筒体部１８の間の空間に移動していき、さらに中間体７の鍔部２８および筐体６のフランジ部２０の間から外部に流出していく。このとき、筐体６の筒体部１８および天板部１８は、自然通気する外気から伝熱される。この伝熱された熱は、筒体部１８の外面１８ａおよび天板部１９の外面から天井２の内側に放出される。ここで、筐体６は、熱伝導率の低い例えばステンレス（ＳＵＳ）により形成されているので、通気経路を通気する外気から熱伝達されにくく、天井２の内側に放出する熱量は比較的少ないものである。すなわち、発光ダイオード９に発生した熱は、大部分、天井２の外側に放出されるものである。
【００６４】
上述したように、発光ダイオード９に発生した熱は、前記通気経路に自然通気する外気に放熱されて、主として天井２の外側に放熱されるので、断熱部材が設けられている天井２に埋め込み設置されても、発光ダイオード９の放熱を継続して効果的に行うことができて、放熱特性を向上させることのできるＬＥＤ照明器具１を提供することができる。また、装置本体５、筐体６および中間体７は、それぞれ所定の厚さを有する金属で筒状などに形成されていて塊で形成されていないので、それぞれの使用容積が少ないものであり、これにより、軽量化および省資源化が図られるとともに安価なＬＥＤ照明器具１を提供することができる。
【実施例２】
【００６５】
図３は、本発明の実施例２を示すＬＥＤ照明器具の概略断面図である。なお、図１と同一部分には同一符号を付して説明は省略する。
【００６６】
図３に示すＬＥＤ照明器具３３は、図１に示すＬＥＤ照明器具１において、中間体７の包囲体部２７を筐体６の天板部１９まで延出させず、円錐状の包囲体部３４を有する中間体７Ａに形成したものである。包囲体部３４の上端３４ｂは、開口３５となっている。この開口３５は、包囲体部３４と装置本体５の側壁部１６との間および包囲体部３４と筐体６の筒体部１８との間を通気する通気手段を形成している。そして、包囲体部３４の下端３４ａには、鍔部２８が設けられている。
【００６７】
そして、中間体７Ａは、鍔部２８が装置本体５の底面部１５および筐体６のフランジ部２０の中間に位置するように、その包囲体部３４が筐体６の筒体部１８の内面に複数個の取付け金具３６により取り付けられている。取付け金具３６は、包囲体部３４の周回方向に等間隔に設けられている。取付け金具３６，３６間は、空間となっており、外気の通気経路となっている。
【００６８】
ＬＥＤ照明器具３３は、図１に示すＬＥＤ照明器具１と同様の作用、効果を有する。
【実施例３】
【００６９】
図４は、本発明の実施例３を示すＬＥＤ照明器具の概略断面図である。なお、図１と同一部分には同一符号を付して説明は省略する。
【００７０】
図４に示すＬＥＤ照明器具３７は、図１に示すＬＥＤ照明器具１において、装置本体５に替えて、放熱フィン３８が設けられた側壁部１６Ａを有する装置本体５Ａを具備している。放熱フィン３８は、側壁部１６Ａの外面側に、側壁部１６Ａの起立方向となるように設けられているとともに、側壁部１６Ａの周回方向において複数個が等間隔となるようにして設けられている。
【００７１】
側壁部１６Ａは、放熱フィン３８により放熱面積が増加している。そして、装置本体５Ａの底面部１５および中間体７の鍔部２８の間から流入する外気は、装置本体５Ａの底面部１５側から側壁部１６Ａの上端１６Ａａ側に自然通気するので、放熱フィン３８が側壁部１６Ａの起立方向に沿って設けられていることにより、通気する外気は、放熱フィン３８および側壁部１６Ａの外面に沿って連続的に自然通気し、放熱フィン３８および側壁部１６Ａから熱伝達されやすくなる。すなわち、側壁部１６Ａから通気する外気へ放熱される単位時間当たりの熱量が増加する。仮に、放熱フィン３８が側壁部１６Ａの周回方向に沿って設けられていると、放熱フィン３８，３８間に空気が停留しやすくなり、熱がこもりやすくなるものである。
【００７２】
このように、装置本体５Ａの側壁部１６Ａに側壁部１６Ａの起立方向に沿う放熱フィン３８が設けられていることにより、側壁部１６Ａの放熱面積が増加するとともに、通気経路を通気する外気へ放熱される単位時間当たりの熱量が増加するので、発光ダイオード９の過度な温度上昇を抑制することができる。
【実施例４】
【００７３】
図５は、本発明の実施例４を示すＬＥＤ照明器具の概略断面図である。なお、図１と同一部分には同一符号を付して説明は省略する。
【００７４】
図５に示すＬＥＤ照明器具３９は、図１に示すＬＥＤ照明器具１において、装置本体５の底板部１５の外形を大きくした底板部１５Ａを有する装置本体５Ｂを具備している。すなわち、底板部１５Ａは、天井２に当接するとともに、一対の取付けばね２６，２６とにより天井２を挟持できる大きさに形成されている。
【００７５】
そして、筐体６Ａの筒体部１８の下端１８ｂに、フランジ部２０に替えて、その周回に亘って外方に突出する突出部４０が設けられている。この突出部４０は、筒体部１８を補強するために設けられている。
【００７６】
ＬＥＤ照明器具３９は、筐体６Ａおよび中間体７が天井２の埋め込み孔２１に挿入されて、一対の取付けばね２６，２６と装置本体５Ｂの底板部１５Ａとで天井２を挟持することにより、天井２の埋め込み孔２１に固定されている。
【００７７】
ＬＥＤ照明器具３９は、装置本体５Ｂの底板部１５Ａおよび中間体７の鍔部２８の間、装置本体５Ｂの側壁部１６および中間体７の包囲体部２７の間、包囲体部２７の上端２７ｂ側に形成された通気手段としての孔３２、中間体７の包囲体部２７および筐体６Ａの筒体部１８の間並びに中間体７の鍔部２８および筐体６Ａの下端１８ｂの間で外気の通気経路が形成されている。
【００７８】
そして、発光ダイオード９に発生した熱は、その一部が発光体３および装置本体５Ｂの底板部１５Ａから直接的に天井２の外側の外気に放出される。そして、その残部の熱は、天井２の内側から前記通気経路に流入し、流出する外気に装置本体５Ｂから熱伝達されて、天井２の内側の外方に放出される。
【００７９】
このように、発光ダイオード９に発生した熱は、前記通気経路に通気する外気に放熱されて、主として天井２の内側に放熱されるので、ＬＥＤ照明器具３９は、断熱部材が設けられていない天井２に埋め込み設置されたときに、発光ダイオード９の放熱を継続して効果的に行うことができて、放熱特性を向上させることができる。
【実施例５】
【００８０】
図６および図７は、本発明の実施例５を示し、図６はＬＥＤ照明器具の概略断面図、図２はＬＥＤ照明器具の概略下面図である。なお、図１および図２と同一部分には同一符号を付して説明は省略する。
【００８１】
図６に示すＬＥＤ照明器具４１は、図１に示すＬＥＤ照明器具１において、発光体３に替えて、装置本体５の底面部１５の下面１５ｂに発光体４２を配設するとともに、発光体４２を密閉するように透光性のカバー体４３を配設したものである。
【００８２】
発光体４２は、円状の基板４４およびこの基板４４に実装された発光ダイオード４５からなり、基板４４が装置本体５の底面部１５の下面１５ｂに図示しない接着材により固着されている。発光ダイオード４５は、白色光を放射する面実装形であり、図７に示すように、複数個が基板４４に格子状に実装されている。
【００８３】
カバー体４３は、例えばアクリル樹脂により、外形が円状である略帽子状に形成され、そのつば部４３ａが装置本体５の底面部１５の下面１５ｂに図示しない接着材により固着されている。そして、図６に示すように、内面に光拡散層４６が塗布されている。
【００８４】
そして、図１のＬＥＤ照明器具１において説明したように、装置本体５は、高熱伝導率を有する金属例えば銅（Ｃｕ）により形成され、筐体６は、装置本体５よりも低い熱伝導率を有する金属例えばステンレス（ＳＵＳ）により形成され、中間体７は、装置本体５よりも低い熱伝導率であって筐体６よりも高い熱伝導率を有する金属例えば鉄（Ｆｅ）により形成されている。なお、中間体７は、筐体６の金属である例えばステンレス（ＳＵＳ）により形成されていてもよい。
【００８５】
発光体４２は、カバー体４３で密閉され、カバー体４３は、装置本体５の底面部１５に配設されているので、発光ダイオード４５に発生した熱は、発光体４２および装置本体５の底面部１５から天井２の外側の外気に直接的に放出されにくい。
【００８６】
そして、発光ダイオード４５に発生した熱は、高熱伝導率を有する装置本体５に迅速に伝熱されて、装置本体５から装置本体５および中間体７の間に通気する外気に放出される。通気する外気は、熱せられて温度上昇して、通気経路に沿って通気して筐体６から天井２の外側に流出する。中間体７の熱伝導率は、装置本体５の熱伝導率よりも低く、筐体６の熱伝導率は、中間体７の熱伝導率よりも低いので、中間体７および筐体６は、通気経路に沿って通気する外気から熱伝達されにくく、外気は、温度上昇した状態で通気し、温度が高い分、速く通気する。これにより、装置本体５から通気経路に通気する外気に放熱される単位時間当たりの熱量が多くなり、発光ダイオード４５に発生した熱が迅速に放熱される。
【００８７】
このように、装置本体５が高熱伝導率を有する金属例えば銅（Ｃｕ）で形成され、中間体７が装置本体５の熱伝導率よりも低い金属例えば鉄（Ｆｅ）で形成され、筐体６が中間体７の熱伝導率よりも低い金属例えばステンレス（ＳＵＳ）で形成されることにより、発光ダイオード４５に発生した熱が迅速に筐体６の外部である天井２の外側に放出されるので、発光ダイオード４５がカバー体４３により密閉されていて、発光ダイオード４５に発生した熱がカバー体４３側から放熱されにくくても、発光ダイオード４５の過度な温度上昇を抑制することができ、発光ダイオード４５を長寿命化することができる。これにより、信頼性が高く、品質の向上したＬＥＤ照明器具４１を提供することができる。
【産業上の利用可能性】
【００８８】
本発明は、天井等の造営物に埋め込み設置される照明器具に利用することができる。
【符号の説明】
【００８９】
１，３３，３７，３９，４１…ＬＥＤ照明器具、  ３，４２…発光体、  ４…電源装置、  ５，５Ａ，５Ｂ…装置本体、  ６，６Ａ…筐体、  ７，７Ａ…中間体、  ８，４４…基板、  ９，４５…発光ダイオード、  １５，１５Ａ…底板部、  １６，１６Ａ…側壁部、  １８…筒体部、  １９…天板部、  ２０…フランジ部、  ２７，３４…包囲体部、  ２８…鍔部、  ３２…通気手段としての孔、  ３５…通気手段としての開口、  ４３…カバー体
【図１】
2011090846.tif 000003
【図２】
2011090846.tif 000004
【図３】
2011090846.tif 000005
【図４】
2011090846.tif 000006
【図５】
2011090846.tif 000007
【図６】
2011090846.tif 000008
【図７】
2011090846.tif 000009